(57)【要約】【課題】１台の室外機に複数台の室内機が接続された空調機において、空調機の消費電力量がユーザーに誤認されるおそれを低減することができる空調システムの提供。【解決手段】空調システム１００は、１台の室外機１２に複数台の室内機１１ａ，１１ｂ，１１ｃが接続された空調機１０と、空調機１０のユーザーが携帯する携帯端末５０と、公衆回線８０を利用して空調機１０と携帯端末５０との間で情報のやりとりを行わせる情報仲介装置とを備える。携帯端末５０に搭載される空調管理プログラムは、複数台の室内機１１ａ，１１ｂ，１１ｃに含まれる各室内機から送信される室外機１２及び室内機の消費電力量に関するデータに基づいて作成する空調機１０の消費電力量に関する情報を携帯端末５０の表示画面５５に表示させる際に、室外機１２に接続されている室内機１１ａ，１１ｂ，１１ｃの台数をユーザーに認識させるための情報を併せて表示させる。【選択図】図１
2015124901.tif 000002
【特許請求の範囲】
【請求項１】
１台の室外機（１２）と、前記室外機に接続される複数台の室内機（１１ａ，１１ｂ，１１ｃ）と、を有する空調機（１０）と、
前記空調機のユーザーが携帯する携帯端末（５０）と、
公衆回線（８０）を利用して前記空調機と前記携帯端末との間で情報のやりとりを行わせる情報仲介装置（２０ａ，２０ｂ，２０ｃ，２１，４０）と、
を備え、
前記携帯端末に搭載される空調管理プログラムは、前記複数台の室内機に含まれる各室内機から送信される前記室外機及び前記室内機の消費電力量に関するデータに基づいて作成する前記空調機の消費電力量に関する情報を前記携帯端末の表示画面（５５）に表示させる際に、前記室外機に接続されている前記室内機の台数をユーザーに認識させるための情報を併せて表示させる、
空調システム（１００）。
【請求項２】
前記情報仲介装置は、前記室内機毎に接続されるアダプタ（２０ａ，２０ｂ，２０ｃ）を有し、
前記室内機及び前記室外機の消費電力量に関するデータが、前記アダプタに送信される、
請求項１に記載の空調システム。
【請求項３】
前記情報仲介装置は、前記複数台の室内機のうちの１台の室内機にのみ接続されるアダプタを有し、
前記室内機及び前記室外機の消費電力量に関するデータが、前記アダプタに送信される、
請求項１に記載の空調システム。
【請求項４】
前記室内機は、前記室外機に接続されている室内機の台数に関するデータを、前記室外機から取得する、
請求項１から３のいずれか１項に記載の空調システム。
【発明の詳細な説明】
【技術分野】
【０００１】
本発明は、１台の室外機に複数台の室内機が接続された空調機を管理する空調システムに関する。
【背景技術】
【０００２】
従来より、１台の室外機に複数台の室内機が接続されるマルチタイプの空調機がある。このようなマルチタイプの空調機に関して、例えば特許文献１（特開２０１１−１５８１１７号公報）に開示されている空調システムのように、各室内機の消費電力量に関する情報をユーザーに提供するシステムがある。
【発明の概要】
【発明が解決しようとする課題】
【０００３】
ところで、マルチタイプの空調機において、空調機の消費電力量を把握することが希望される場合がある。このとき、室外機の消費電力量と各室内機の消費電力量との合計が１単位とされ、該１単位の和が空調機の消費電力量として、ユーザーに提供される場合、提供される空調機の消費電力量には室外機の消費電力量が余分に含まれることになる。そうすると、提供される空調機の消費電力量が、実際の空調機の消費電力量よりも多くなってしまうため、ユーザーが実際の空調機の消費電力量を誤認してしまうおそれがある。
【０００４】
そこで、本発明の課題は、１台の室外機に複数台の室内機が接続された空調機において、空調機の消費電力量がユーザーに誤認されるおそれを低減することができる空調システムを提供することにある。
【課題を解決するための手段】
【０００５】
本発明の第１観点に係る空調システムは、空調機と、携帯端末と、情報仲介装置と、を備える。空調機は、１台の室外機と、室外機に接続される複数台の室内機と、を有する。携帯端末は、空調機のユーザーが携帯する。情報仲介装置は、公衆回線を利用して空調機と携帯端末との間で情報のやりとりを行わせる。また、携帯端末に搭載される空調管理プログラムは、複数台の室内機に含まれる各室内機から送信される室外機及び室内機の消費電力量に関するデータに基づいて作成する空調機の消費電力量に関する情報を携帯端末の表示画面に表示させる際に、室外機に接続されている室内機の台数をユーザーに認識させるための情報を併せて表示させる。
【０００６】
本発明の第１観点に係る空調システムでは、複数台の室内機に含まれる各室内機から送信される室外機及び室内機の消費電力量に関するデータに基づいて、空調機の消費電力量に関する情報が作成される。そして、空調機の消費電力量に関する情報が携帯端末の表示画面上に提供される際には、室外機に接続されている室内機の台数をユーザーに認識させるための情報が併せて提供される。このため、携帯端末の表示画面に表示される空調機の消費電力量に関する情報に室外機の消費電力量が余分に含まれていても、ユーザーはその事実を認識することができる。
【０００７】
これによって、１台の室外機に複数台の室内機が接続された空調機において、空調機の消費電力量が誤認されるおそれを低減することができる。
【０００８】
本発明の第２観点に係る空調システムは、第１観点に空調システムにおいて、情報仲介装置は、室内機毎に接続されるアダプタを有する。そして、室内機及び室外機の消費電力量に関するデータは、アダプタに送信される。この空調システムでは、室内機毎にアダプタが接続される。
【０００９】
本発明の第３観点に係る空調システムは、第１観点の空調システムにおいて、情報仲介装置は、複数台の室内機のうちの１台の室内機にのみ接続されるアダプタを有する。そして、室内機及び室外機の消費電力量に関するデータは、アダプタに送信される。この空調システムでは、複数台の室内機のうちの１台の室内機にのみアダプタが接続される。
【００１０】
本発明の第４観点に係る空調システムは、第１観点から第３観点のいずれかの空調システムにおいて、室内機は、室外機に接続されている室内機の台数に関するデータを、室外機から取得する。この空調システムでは、室外機に接続されている室内機の台数に関するデータが室外機から取得される。
【発明の効果】
【００１１】
本発明の第１観点に係る空調システムでは、１台の室外機に複数台の室内機が接続された空調機において、空調機の消費電力量が誤認されるおそれを低減することができる。
【００１２】
本発明の第２観点に係る空調システムでは、室内機毎にアダプタが接続される。
【００１３】
本発明の第３観点に係る空調システムでは、複数台の室内機のうちの１台の室内機にのみアダプタが接続される。
【００１４】
本発明の第４観点に係る空調システムでは、室外機に接続されている室内機の台数に関するデータが室外機から取得される。
【図面の簡単な説明】
【００１５】
【図１】本発明の一実施形態に係る空調システムの構成図。
【図２】室内機及び室外機の構成図。
【図３】アダプタの構成図。
【図４】サーバの構成図。
【図５】携帯端末の構成図。
【図６】機器一覧画像の一例を示す図。
【図７】設定画像の一例を示す図。
【図８】接続台数に関するデータの流れを示す図。
【図９】消費電力量に関するデータの流れを示す図。
【図１０】操作画像の一例を示す図。
【図１１】空調機の消費電力確認画像の一例を示す図。
【発明を実施するための形態】
【００１６】
以下、図面を参照しながら、本発明の一実施形態に係る空調システム１００について説明する。なお、以下の実施形態は、本発明の具体例であって、本発明の技術的範囲を限定するものではなく、発明の要旨を逸脱しない範囲で適宜変更が可能である。
【００１７】
（１）空調システム１００の構成
（１−１）概要
図１に、空調システム１００の全体構成を示す。空調システム１００は、情報仲介装置としてのサーバ４０及びアダプタ２０ａ，２０ｂ，２０ｃを介してユーザーが自身の携帯する携帯端末５０から所定の空調機１０の情報を取得したり、所定の空調機１０を操作したりするためのシステムである。また、本実施形態における空調機１０は、１台の室外機１２に複数台の室内機１１ａ，１１ｂ，１１ｃが接続された、いわゆるマルチタイプの空調機である。
【００１８】
建物３０には、公衆回線（以下、インターネットという）８０と、建物３０内に施設されているローカルエリアネットワーク（以下、ＬＡＮという）８１とを接続するルータ２１が設置されている。ＬＡＮ８１には、空調機１０に接続されたアダプタ２０ａ，２０ｂ，２０ｃが接続されている。なお、アダプタ２０ａ，２０ｂ，２０ｃの他に、建物３０内で使用される図示されないパソコン、プリンタ等のネットワーク機器がＬＡＮ８１に接続されていてもよい。
【００１９】
携帯端末５０によるサーバ４０を介した空調機１０の管理をするためには、事前に空調機１０をサーバ４０に登録しておく必要がある。
【００２０】
なお、簡単のために、図１には建物３０を１つしか示していないが、実際の空調システム１００には、複数の建物３０に散在する空調機１０が含まれているものとする。
【００２１】
（２）空調システム１００の詳細構成
（２−１）空調機１０
図１に示すように、空調機は、建物３０の室内３０ａ，３０ｂ，３０ｃ，・・・に設置される室内機１１ａ，１１ｂ，１１ｃと、建物３０の外に設置される室外機１２と、を有する。なお、室内機１１ａ，１１ｂ，１１ｃは、後述するアダプタ２０ａ，２０ｂ，２０ｃと１対１で接続されている。
【００２２】
各室内機１１ａ，１１ｂ，１１ｃと室外機１２とは、冷媒配管を介して接続されており、圧縮機１７ｂ（図２参照）や熱交換器等から構成される冷媒回路を形成している。
【００２３】
室外機１２は、図２に示すように、建物３０付近の外気の温度を検出する外気温度センサ１７ａを有している。また、室外機１２には、室外機１２において消費された電力量を計測するための室外機電力量計１７ｃが接続されている。
【００２４】
また、室外機１２は、制御部１６を有している。制御部１６は、例えばリモコン１５を介して室内３０ａ，３０ｂ，３０ｃ，・・・のユーザーから入力される室内機１１ａ，１１ｂ，１１ｃに対する運転指令に従って、室外機１２の運転を制御する、すなわち、冷媒回路に含まれる圧縮機１７ｂ等の動作を制御する。また、制御部１６は、所定時間間隔（例えば、１時間間隔）における室外機１２の消費電力量に関するデータを室外機電力量計１７ｃから取得する。そして、制御部１６は、通信部１６ａを介して室外機１２の消費電力量に関するデータを、室内機１１ａ，１１ｂ，１１ｃに送信する。さらに、制御部１６は、接続されている室内機１１ａ，１１ｂ，１１ｃの台数に関するデータ（以下、接続台数に関するデータという）を、通信部１６ａを介して室内機１１ａ，１１ｂ，１１ｃに送信する。
【００２５】
室内機１１ａ，１１ｂ，１１ｃは、図２に示すように、室内機１１ａ，１１ｂ，１１ｃの設置されている室内３０ａ，３０ｂ，３０ｃ，・・・の温度を検出する室内温度センサ１４ａを有している。また、室内機１１ａ，１１ｂ，１１ｃには、各室内機１１ａ，１１ｂ，１１ｃにおいて消費された電力量を計測するための室内機電力量計１４ｄが接続されている。
【００２６】
また、室内機１１ａ，１１ｂ，１１ｃは、制御部１３を有している。制御部１３は、リモコン１５を介して室内３０ａ，３０ｂ，３０ｃ，・・・のユーザーから入力される室内機１１ａ，１１ｂ，１１ｃに対する運転指令に従って、室内機１１ａ，１１ｂ，１１ｃの運転を制御する、すなわち、室内ファン１４ｂやフラップ１４ｃ等の動作を制御する。
【００２７】
また、制御部１３は、室内機１１ａ，１１ｂ，１１ｃに関する機器データを、通信部１３ａを介してアダプタ２０ａ，２０ｂ，２０ｃに送信する。例えば、制御部１３は、リモコン１５を介して入力された室内機１１ａ，１１ｂ，１１ｃに対する運転指令の内容を示すデータをアダプタ２０ａ，２０ｂ，２０ｃに送信する。運転指令の内容を示すデータとは、例えば、室内機１１ａ，１１ｂ，１１ｃの運転開始／運転停止、運転モード（冷房モード、暖房モード、送風モードなど）、設定温度などである。
【００２８】
さらに、制御部１３は、所定時間間隔（例えば、１時間間隔）における室内機１１ａ，１１ｂ，１１ｃの消費電力量に関するデータを室内機電力量計１４ｄから取得する。そして、制御部１３は、室内機電力量計１４ｄから取得した室内機１１ａ，１１ｂ，１１ｃの消費電力量に関するデータと、通信部１６ａを介して受信した室外機１２の消費電力量に関するデータとを合算し、これを総消費電力量に関するデータとして、通信部１３ａを介してアダプタ２０ａ，２０ｂ，２０ｃに送信する。また、制御部１３は、室外機１２から受信した接続台数に関するデータを機器データとして、通信部１３ａを介してアダプタ２０ａ，２０ｂ，２０ｃに送信する。
【００２９】
また、制御部１３は、通信部１３ａを介してアダプタ２０ａ，２０ｂ，２０ｃから送信されてくる制御指令を実行する。アダプタ２０ａ，２０ｂ，２０ｃから送信されてくる制御指令とは、例えば、室内機１１ａ，１１ｂ，１１ｃに対する運転指令であったり、特定の機器データをアダプタ２０ａ，２０ｂ，２０ｃに送信するよう命じるものであったりする。
【００３０】
（２−２）情報仲介装置
情報仲介装置は、インターネット８０を利用して、空調機１０と携帯端末５０との間で情報のやりとりを行わせるための装置である。情報仲介装置は、アダプタ２０ａ，２０ｂ，２０ｃと、ルータ２１と、サーバ４０とを有している。
【００３１】
（２−２−１）アダプタ２０ａ，２０ｂ，２０ｃ
アダプタ２０ａ，２０ｂ，２０ｃは、空調機１０をＬＡＮ８１に接続するためのネットワークアダプタであって、本実施形態では室内機１１ａ，１１ｂ，１１ｃに外付けされている。なお、アダプタ２０ａ，２０ｂ，２０ｃは室内機１１ａ，１１ｂ，１１ｃに内蔵されていてもよい。
【００３２】
アダプタ２０ａ，２０ｂ，２０ｃは、図３に示すように、通信部２２ａと、制御部２３ａと、記憶部２４ａとを有しており、ネットワーク間での通信プロトコルの相違を吸収する通信機能の他、空調機１０を制御する制御機能を有している。
【００３３】
記憶部２４ａには、制御プログラム及び制御データが記憶されている。制御プログラム及び制御データは、該制御データを参照しつつ該制御プログラムを実行する。
【００３４】
また、記憶部２４ａには、機器データ記憶領域２５ａと、温度データ記憶領域２５ｂと、消費電力量データ記憶領域２５ｃと、が確保されている。機器データ記憶領域２５ａは、室内機１１ａ，１１ｂ，１１ｃから送信されてくる機器データを一時的に保存しておくための記憶領域である。なお、本実施形態における機器データには、上述のように、室内機１１ａ，１１ｂ，１１ｃから送信された接続台数に関するデータが含まれる。温度データ記憶領域２５ｂは、室内機１１ａ，１１ｂ，１１ｃから送信されてくる温度データを一時的に保存しておくための記憶領域である。消費電力量データ記憶領域２５ｃは、室内機１１ａ，１１ｂ，１１ｃから送信されてくる総消費電力量に関するデータを一時的に保存しておくための記憶領域である。そして、制御部２３ａは、定期的に（例えば１分毎に）機器データ記憶領域２５ａ内の機器データ、温度データ記憶領域２５ｂ内の温度データ、及び消費電力量データ記憶領域２５ｃ内の総消費電力量に関するデータを、定期発報データとしてサーバ４０に送信する。
【００３５】
また、記憶部２４ａには、サーバアドレス及びアダプタ２０ａ，２０ｂ，２０ｃの識別番号が予め記憶されている。さらに、記憶部２４ａには、サーバ４０に割り当てられた機器ＩＤが記憶されている。機器ＩＤは、サーバ４０上でアダプタ２０ａ，２０ｂ，２０ｃを一意に識別する情報となる。
【００３６】
（２−２−２）ルータ２１
ルータ２１は、アダプタ２０ａ，２０ｂ，２０ｃがＬＡＮ８１に接続されると、アダプタ２０ａ，２０ｂ，２０ｃの存在を自動的に検出し、アダプタ２０ａ，２０ｂ，２０ｃのネットワーク情報の登録を行う。これにより、アダプタ２０ａ，２０ｂ，２０ｃは、ＬＡＮ８１内の他のネットワーク機器、及びインターネット８０上のネットワーク機器との通信が可能になる。
【００３７】
（２−２−３）サーバ４０
図４に示すように、サーバ４０は、通信部４１と、制御部４２と、記憶部４３とを有している。
【００３８】
通信部４１は、サーバ４０の通信機能を担っており、サーバ４０のインターネット８０への接続、すなわち空調機１０と携帯端末５０との通信を可能にしている。
【００３９】
記憶部４３には、空調機１０に関する各種データを蓄積するための様々なデータベースが定義されている。
【００４０】
例えば、記憶部４３には、アダプタ２０ａ，２０ｂ，２０ｃからサーバ４０へとインターネット８０を介して送信されてくる、定期発報データを蓄積する定期発報データベース４３ａが定義されている。なお、定期発報データベース４３ａには、室内機１１ａ，１１ｂ，１１ｃに関する各種データが該室内機１１ａ，１１ｂ，１１ｃに接続されているアダプタ２０ａ，２０ｂ，２０ｃに割り当てられた機器ＩＤに関連付けられた態様で格納される。このため、アダプタ２０ａ，２０ｂ，２０ｃ毎に、すなわち室内機１１ａ，１１ｂ，１１ｃ毎に、室内機１１ａ，１１ｂ，１１ｃに関する各種データを管理することができる。なお、総消費電力量に関するデータについては、定期発報データベース４３ａにおいて、機器ＩＤ、年月日及び時間が関連づけられた態様で格納され蓄積されるものとする。
【００４１】
また、記憶部４３には、室内機１１ａ，１１ｂ，１１ｃに関する基本的な登録情報（以下、基本情報）を格納する基本情報データベース４３ｂが定義されている。基本情報データベース４３ｂには、アダプタ２０ａ，２０ｂ，２０ｃの機器ＩＤ、該アダプタ２０ａ，２０ｂ，２０ｃが接続された室内機１１ａ，１１ｂ，１１ｃの保有する各種機能に関するデータ、及び該室内機１１ａ，１１ｂ，１１ｃの属する空調機１０に関するデータなどが１つのレコードとして格納される。基本情報データベース４３ｂ内のレコードは、室内機１１ａ，１１ｂ，１１ｃに１対１で対応する。
【００４２】
さらに、記憶部４３には、空調機１０のユーザーによる各種設定に関する情報を格納する設定情報データベース４３ｃが定義されている。設定情報データベース４３ｃには、登録された室内機１１ａ，１１ｂ，１１ｃに接続されたアダプタ２０ａ，２０ｂ，２０ｃの機器ＩＤ、該室内機１１ａ，１１ｂ，１１ｃに対してユーザーが任意で設定した機器名称、該室内機１１ａ，１１ｂ，１１ｃの外部からの操作の可否（ＯＮ／ＯＦＦ）、空調機１０のユーザーに割り当てられているログインＩＤ及びパスワードを含むユーザーの個人情報などが１つのレコードとして格納される。パスワードは、ユーザーがサーバ４０にログインＩＤでログインする際のログイン権限を認証するためのものである。設定情報データベース４３ｃ内のレコードは、ユーザーに１対１で対応する。
【００４３】
制御部４２は、ＣＰＵ、ＲＡＭ及びＲＯＭ等から構成されており、記憶部４３に記憶されている制御プログラムを実行する。また、制御部４２は、上記データベースに格納されている各種データを、インターネット８０を介してユーザーの携帯端末５０に送信する。より詳しくは、制御部４２は、インターネット８０を介した携帯端末５０からの情報送信要求に応じて、携帯端末５０に各種データを送信する。また、制御部４２は、インターネット８０を介して携帯端末５０から受信した操作情報を制御指令としてアダプタ２０ａ，２０ｂ，２０ｃに送信する。なお、この制御指令は、アダプタ２０ａ，２０ｂ，２０ｃから定期発報データを受けた時に、サーバ４０からアダプタ２０ａ，２０ｂ，２０ｃに対して送信される。また、各室内機１１ａ，１１ｂ，１１ｃはアダプタ２０ａ，２０ｂ，２０ｃの機器ＩＤにより識別されている。
【００４４】
（２−３）携帯端末５０
携帯端末５０は、空調機１０のユーザーが携帯するものであって、例えば携帯電話、スマートフォン、タブレットコンピュータ、ノート型パソコンなどの可搬性のコンピュータが挙げられる。以下より、携帯端末としてスマートフォン５０が採用されている場合を例として説明する。
【００４５】
図５に示すように、スマートフォン５０は、通信部５１と、制御部５２と、出力部５４と、入力部５６と、記憶部５３とを有している。通信部５１は、通話機能の他、インターネット８０への接続機能を実装している。制御部５２は、ＣＰＵ、ＲＡＭ及びＲＯＭ等からなり、記憶部５３はフラッシュメモリ等からなる。出力部５４は、表示画面５５を含む。入力部５６は、操作ボタン群等からなり、表示画面５５に表示される画像中に含まれる。
【００４６】
スマートフォン５０には、スマートフォン５０を用いて空調機１０を管理するための空調管理プログラムが搭載される。空調管理プログラムは、インターネット８０を介してサーバ４０からダウンロードすることができる。この空調管理プログラムは、サーバ４０に登録されている空調機１０に関する情報を含む画像を、スマートフォン５０の表示画面５５に表示させることができる。そして、ユーザーは、空調管理プログラムにより生成され表示画面５５に提供される画像を介して、サーバ４０に登録されている室内機１１ａ，１１ｂ，１１ｃの機器設定、室内機１１ａ，１１ｂ，１１ｃの操作、及び空調機１０の消費電力量の確認などを行う。なお、空調管理プログラムには、サーバアドレスが保持されている。
【００４７】
（３）各種設定
（３−１）初期設定
空調機１０の初期設定は、室内機１１ａ，１１ｂ，１１ｃに接続されているアダプタ２０ａ，２０ｂ，２０ｃにより自動的に実行される処理である。より具体的には、アダプタ２０ａ，２０ｂ，２０ｃは、ＬＡＮ８１に接続されると、ルータ２１を介して自身の存在を自動的にサーバ４０に送信するようにプログラムされている。該送信時には、アダプタ２０ａ，２０ｂ，２０ｃからサーバ４０へと、各アダプタ２０ａ，２０ｂ，２０ｃの識別番号が送信される。
【００４８】
サーバ４０の制御部４２は、アダプタ２０ａ，２０ｂ，２０ｃから識別番号が送信されると、各アダプタ２０ａ，２０ｂ，２０ｃの識別番号毎に個別の機器ＩＤを作成し、該識別番号及び作成した該機器ＩＤとを関連付ける態様で、基本情報データベース４３ｂに登録する。また、サーバ４０の制御部４２は、該機器ＩＤを、対応するアダプタ２０ａ，２０ｂ，２０ｃに送信する。
【００４９】
アダプタ２０ａ，２０ｂ，２０ｃは、サーバ４０から機器ＩＤが送信されると、機器ＩＤを記憶部２４ａする。次に、アダプタ２０ａ，２０ｂ，２０ｃは、各アダプタ２０ａ，２０ｂ，２０ｃに接続されている室内機１１ａ，１１ｂ，１１ｃの保有する各種機能に関するデータ、及び室内機１１ａ，１１ｂ，１１ｃの属する空調機１０に関するデータをサーバ４０に送信する。
【００５０】
サーバ４０の制御部４２は、アダプタ２０ａ，２０ｂ，２０ｃから室内機１１ａ，１１ｂ，１１ｃの保有する各種機能に関するデータ、及び室内機１１ａ，１１ｂ，１１ｃの属する空調機１０に関するデータが送信されると、各アダプタ２０ａ，２０ｂ，２０ｃの機器ＩＤと室内機１１ａ，１１ｂ，１１ｃの保有する各種機能に関するデータ及び室内機１１ａ，１１ｂ，１１ｃの属する空調機１０に関するデータとを関連付ける態様で、基本情報データベース４３ｂに登録する。これにより、サーバ４０に室内機１１ａ，１１ｂ，１１ｃの登録が行われ、空調機１０の初期設定が終了する。
【００５１】
（３−２）室内機１１ａ，１１ｂ，１１ｃの機器設定
室内機１１ａ，１１ｂ，１１ｃの機器設定は、ユーザーが建物３０内でスマートフォン５０を手動で操作しつつ実行する処理である。ユーザーは、サーバ４０からインターネット８０を介して表示画面５５に提供される画像を通じて室内機１１ａ，１１ｂ，１１ｃの機器設定を行う。なお、室内機１１ａ，１１ｂ，１１ｃの機器設定は、空調機１０の初期設定後に実行される必要がある。
【００５２】
室内機１１ａ，１１ｂ，１１ｃの機器設定では、ユーザーは、スマートフォン５０に搭載されている空調管理プログラムを起動し、サーバ４０にアクセスする。かかるアクセスを受けて、サーバ４０の処理が開始する。
【００５３】
サーバ４０は、基本情報データベース４３ｂに登録されている空調機の中からアクセス元であるスマートフォン５０と同じＬＡＮ８１内に存在するものを選択し、該スマートフォン５０と同じＬＡＮ８１内に繋がる空調機１０に属する全ての室内機１１ａ，１１ｂ，１１ｃに関するデータをスマートフォン５０に送信する。これにより、スマートフォン５０の表示画面５５に、登録されている室内機１１ａ，１１ｂ，１１ｃの一覧を確認することができる画像（図６参照、以下、機器一覧画像という）が表示される。
【００５４】
続いて、ユーザーが機器一覧画像に含まれる入力部５６としての「編集」ボタン５６ａをタップすると、室内機１１ａ，１１ｂ，１１ｃの機器名称、室内機１１ａ，１１ｂ，１１ｃの設置場所、室内機１１ａ，１１ｂ，１１ｃの外部からの操作の可否などを設定するための設定画像（図７参照）に、機器一覧画像から遷移する。
【００５５】
例えば、ユーザーが設定画像に含まれる入力部５６としての「外から操作設定」ボタン５６ｂをタップして、外から操作設定を「ＯＮ」にすると、外から操作設定「ＯＮ」の情報がスマートフォン５０からサーバ４０に送信される。サーバ４０では、外部からの室内機１１ａ，１１ｂ，１１ｃの操作が可能となるように該情報を設定情報データベース４３ｃに登録する。また、外から操作設定を「ＯＮ」にすると、スマートフォン５０の表示画面５５は、パスワードの設定を促すパスワード設定画像に、設定画像から遷移する。このとき、ユーザーがパスワード設定画像上の入力部を操作して任意のパスワードを入力して設定することで、パスワードに関する情報がスマートフォン５０からサーバ４０に送信される。パスワードに関する情報がサーバ４０に送信されると、サーバ４０の制御部４２は、ログインＩＤを作成し、作成したログインＩＤと該パスワードとを関連付けて設定情報データベース４３ｃに記憶するとともに、該ログインＩＤ及び該パスワードに関するデータをスマートフォン５０に送信する。これにより、スマートフォン５０の表示画面５５には、ログインＩＤ及びパスワードを確認することのできる確認画像が表示される。
【００５６】
そして、次回、空調管理プログラムを起動すると、ログインＩＤ及びパスワードの入力箇所を含む初期画像がスマートフォン５０の表示画面５５に表示される。このとき、ユーザーは、初期画像に含まれるログインＩＤ及びパスワードの入力箇所に、提供されたログインＩＤ及び設定したパスワードを入力しなければ、設定情報データベース４３ｃに登録されている室内機１１ａ，１１ｂ，１１ｃを建物３０の外部からスマートフォン５０により操作することができない。このように、スマートフォン５０を用いて外部から空調機１０を操作する際にログイン権限の有無が確かめられるようにログインＩＤ及びパスワードの入力を必須とすることで、不正な遠隔操作を避け安全に操作することができる。
【００５７】
なお、空調管理プログラムが起動され、初期画像に含まれるログインＩＤ及びパスワードの入力箇所に提供されたログインＩＤ及びパスワードが入力されると、スマートフォン５０からサーバ４０に情報送信要求が送信される。かかる情報送信要求を受けて、サーバ４０はデータベースに記憶されている空調機１０に関する各種データをスマートフォン５０に送信する。これを受けて、スマートフォン５０の表示画面５５にはスマートフォン５０の表示画面５５には機器一覧画像が表示される。そして、ユーザーは、表示画面５５上の機器一覧画像に含まれる室内機１１ａ，１１ｂ，１１ｃのアイコンをタップすることで、各アイコンに対応する室内機１１ａ，１１ｂ，１１ｃに関する情報を表示画面５５上で確認したり、各アイコンに対応する室内機１１ａ，１１ｂ，１１ｃを操作したりすることができる。
【００５８】
また、図６に示すように、複数の室内機１１ａ，１１ｂ，１１ｃのアイコンが機器一覧画像中に表示されている場合には、各アイコンをタップした後に「編集」ボタン５６ａをタップすることで、タップしたアイコンに対応する室内機１１ａ，１１ｂ，１１ｃの機器設定を行うための設定画像に、機器一覧画像から遷移する。このため、ユーザーは、室内機１１ａ，１１ｂ，１１ｃの機器名称、室内機１１ａ，１１ｂ，１１ｃの設置場所、外部からの室内機１１ａ，１１ｂ，１１ｃの操作の可否の設定を、アイコンに対応する室内機１１ａ，１１ｂ，１１ｃ毎に行うことができる。
【００５９】
さらに、空調管理プログラムは、各室内機１１ａ，１１ｂ，１１ｃから送信される室外機１２及び室内機１１ａ，１１ｂ，１１ｃの消費電力量に関するデータ（総消費電力量に関するデータ）に基づいて作成する空調機１０の消費電力量に関する情報を含む画像（以下、空調機１０の消費電力確認画像という）を作成する機能を有する。さらに、空調機１０がマルチタイプの空調機である場合には、空調管理プログラムは、空調機１０の消費電力確認画像をスマートフォン５０の表示画面５５に表示させる際に、室外機１２に接続されている室内機１１ａ，１１ｂ，１１ｃの台数をユーザーに認識させるための情報を併せて表示させる。
【００６０】
（４）空調機１０の消費電力量に関する情報の提供
以下、図８−図１１を参照して、携帯端末（本実施形態では、スマートフォン５０）で消費電力に関する情報が表示されるまでの一例について説明する。なお、図１０では、複数の室内機１１ａ，１１ｂ，１１ｃのうちの１つの室内機１１ａの機器名称が「リビングエアコン」に設定されている場合を例として描いている。また、本実施形態では、外から操作設定が「ＯＮ」になっている場合にのみ、以下の処理が行われるものとする。さらに、以下の空調システム１００の動作の流れは一例であって、これと異なる動作の流れで行われてもよい。
【００６１】
まず、接続台数に関するデータの流れについて、図８を用いて説明する。接続台数に関するデータ（例えば、３台など）は、室外機１２の通信部１６ａを介して室内機１１ａ，１１ｂ，１１ｃに送信される。室内機１１ａ，１１ｂ，１１ｃは、室外機１２から受信した接続台数に関するデータを、通信部１３ａを介してアダプタ２０ａ，２０ｂ，２０ｃに送信する。アダプタ２０ａ，２０ｂ，２０ｃは、室内機１１ａ，１１ｂ，１１ｃから受信した接続台数に関するデータを、機器データ記憶領域２５ａに保存する。
【００６２】
そして、アダプタ２０ａ，２０ｂ，２０ｃは、室内機１１ａ，１１ｂ，１１ｃから受信した接続台数に関するデータを、サーバ４０に送信する。サーバ４０は、接続台数に関するデータを、記憶部４３のデータベースに記憶する。これにより、空調機１０における接続台数に関するデータがサーバ４０に保存されることになる。
【００６３】
なお、本実施形態では、接続台数に関するデータは定期発報データとしてサーバ４０に送信されるため、サーバ４０に保存された接続台数に関するデータは定期的に更新されるが、これに代えて、接続台数が変更されたときにサーバ４０に保存された接続台数に関するデータが更新されるようになっていてもよい。
【００６４】
次に、消費電力量に関するデータの流れについて、図９を用いて説明する。まず、室外機１２は、所定時間間隔（例えば、１時間間隔）における室外機１２の消費電力量を室外機電力量計１７ｃから取得し、室外機１２の消費電力量に関するデータを、通信部１６ａを介して室内機１１ａ，１１ｂ，１１ｃに送信する。室内機１１ａ，１１ｂ，１１ｃは、室内機電力量計１４ｄから取得した所定時間間隔（例えば、１時間間隔）における室内機１１ａ，１１ｂ，１１ｃの消費電力量と、室外機１２から受信した室外機１２の消費電力量に関するデータと、を合算する。そして、合算した消費電力量に関するデータを、所定時間内に室内機１１ａ，１１ｂ，１１ｃ及び室外機１２において消費された総電力量である総消費電力量に関するデータとして、通信部１３ａを介してアダプタ２０ａ，２０ｂ，２０ｃに送信する。アダプタ２０ａ，２０ｂ，２０ｃは、室内機１１ａ，１１ｂ，１１ｃから受信した総消費電力量に関するデータを消費電力量データ記憶領域２５ｃに保存する。そして、アダプタ２０ａ，２０ｂ，２０ｃは、保存した総消費電力量に関するデータを、定期発報データとして定期的にサーバ４０に送信する。サーバ４０は、定期発報データとしてアダプタ２０ａ，２０ｂ，２０ｃから受信した総消費電力量に関するデータを、定期発報データベース４３ａに蓄積する。
【００６５】
その後、スマートフォン５０からサーバ４０にアクセスがあった場合に、サーバ４０は、登録された空調機１０についての接続台数に関するデータ及び総消費電力量に関するデータを含む各種データを、スマートフォン５０に送信する。ここで、スマートフォン５０からサーバ４０にアクセスがあった場合とは、スマートフォン５０に搭載されている空調管理プログラムが起動され、初期画像に含まれるログインＩＤ及びパスワードの入力箇所に提供されたログインＩＤ及びパスワードが入力されることで、スマートフォン５０から送信される情報送信要求をサーバ４０が受信した場合のことである。
【００６６】
スマートフォン５０が接続台数に関するデータ及び総消費電力量に関するデータを含む各種データをサーバ４０から受信すると、空調管理プログラムは、スマートフォン５０の表示画面５５に提供するための各種画像を生成する。具体的には、スマートフォン５０が各種データを受信すると、各種データに基づきユーザーが管理することのできる室内機１１ａ，１１ｂ，１１ｃのアイコンが表示された機器一覧画が表示画面５５に表示される。そして、機器一覧画像中に表示されている複数のアイコンのうちの「リビングエアコン」のアイコンがタップされると、表示画面５５の画像が、「リビングエアコン」に対応する室内機１１ａを操作するための操作画像（図１０参照）に、機器一覧画像から遷移する。操作画像には、室内機１１ａを操作するための入力部５６としての「運転モード」ボタン、「設定温度」ボタン、「設定しつど」ボタンの他に、空調機１０の消費電力量を確認するための「消費電力」ボタン５６ｃなどの操作ボタンが含まれている。そして、操作画像上の「消費電力」ボタン５６ｃがタップされると、表示画面５５の画像が、例えば図１１に示すような空調機１０の消費電力確認画像に、操作画像から遷移する。
【００６７】
ここで、空調管理プログラムは、サーバ４０から受信した接続台数に関するデータ及び総消費電力量に関するデータに基づき、空調機１０の消費電力確認画像を作成する。図１１に示す空調機１０の消費電力確認画像に含まれる空調機１０の消費電力量を示す「今月の使用量」の消費電力量情報（９９９９９．１ｋＷｈ）は、各アダプタ２０ａ，２０ｂ，２０ｃから受信した総消費電力量に関するデータに基づいて作成される。また、空調機１０はマルチタイプの空調機であるため、接続台数に関するデータに基づいて接続台数に関する情報（図１１の場合には、「マルチ接続台数：３台」）を、空調機１０の消費電力確認画像中に含ませる。これにより、スマートフォン５０の表示画面５５には、図１１に示すような空調機１０の消費電力確認画像が表示される。
【００６８】
（５）特徴
本実施形態の空調機１０の消費電力確認画像に含まれる「今月の使用量」の消費電力量情報は、各アダプタ２０ａ，２０ｂ，２０ｃから受信した総消費電力量に関するデータに基づいて作成される。このため、該消費電力量情報は、各室内機１１ａ，１１ｂ，１１ｃで消費された消費電力量と、室内機の台数分の室外機１２の消費電力量とを合算した値となる。例えば、室内機１１ａの消費電力量がａｋＷｈであり、室内機１１ｂの消費電力量がｂｋＷｈであり、室内機１１ｃの消費電力量がｃｋＷｈである場合であって、室外機１２の消費電力量がｚｋＷｈである場合、アダプタ２０ａからサーバ４０に送信される総消費電力量に関するデータは、（ａ＋ｚ）ｋＷｈであり、アダプタ２０ｂからサーバ４０に送信される総消費電力量に関するデータは、（ｂ＋ｚ）ｋＷｈであり、アダプタ２０ｃからサーバ４０に送信される総消費電力量に関するデータは、（ｃ＋ｚ）ｋＷｈとなる。そうすると、各総消費電力量に関するデータに基づき空調管理プログラムが作成する消費電力量情報は、（ａ＋ｚ）ｋＷｈ＋（ｂ＋ｚ）ｋＷｈ＋（ｃ＋ｚ）ｋＷｈ、すなわち（３ｚ＋ａ＋ｂ＋ｃ）ｋＷｈとなるため、表示される室外機１２の消費電力量には、実際の３倍の室外機１２の消費電力量が含まれていることになる。
【００６９】
そこで、本実施形態では、空調機１０の消費電力確認画像において、空調機１０の消費電力量を示す「今月の使用量」の消費電力量情報だけでなく、室外機１２に接続されている室内機１１ａ，１１ｂ，１１ｃの台数をユーザーに認識させるための接続台数に関する情報が提供される。このため、ユーザーは、空調機１０の消費電力確認画像中の接続台数に関する情報を確認することで、表示されている消費電力量情報には、室外機１２の消費電力量が余分に含まれていることを認識することができる。
【００７０】
これによって、１台の室外機１２に複数台の室内機１１ａ，１１ｂ，１１ｃが接続された空調機１０において、空調機１０の消費電力量が誤認されるおそれを低減することができている。
【００７１】
（６）変形例
（６−１）変形例Ａ
上記実施形態では、空調機１０の備える複数台の室内機１１ａ，１１ｂ，１１ｃ毎に、アダプタ２０ａ，２０ｂ，２０ｃが接続されている。
【００７２】
これに代えて、複数台の室内機のうちの１台の室内機にのみアダプタが接続されており、該アダプタから総消費電力量に関するデータがサーバに送信されるように空調システムが構成されていてもよい。このような構成であれば、複数台の室内機毎にアダプタが接続される場合と比較して、アダプタの個数を減らすことができる。
【産業上の利用可能性】
【００７３】
本発明は、空調機の消費電力量がユーザーに誤認されるおそれを低減できるものであり、１台の室外機に複数台の室内機が接続された空調機を備える空調システムへの適用が有効である。
【符号の説明】
【００７４】
１０      空調機
１２      室外機
２１      ルータ（情報仲介装置）
４０      サーバ（情報仲介装置）
５０      携帯端末／スマートフォン（携帯端末）
５５      表示画面
８０      公衆回線／インターネット（公衆回線）
１００      空調システム
２０ａ，２０ｂ，１１ｃ  アダプタ（情報仲介装置／アダプタ）
１１ａ，１１ｂ，１１ｃ  室内機
【先行技術文献】
【特許文献】
【００７５】
【特許文献１】特開２０１１−１５８１１７号公報
【図１】
2015124901.tif 000003
【図２】
2015124901.tif 000004
【図３】
2015124901.tif 000005
【図４】
2015124901.tif 000006
【図５】
2015124901.tif 000007
【図６】
2015124901.tif 000008
【図７】
2015124901.tif 000009
【図８】
2015124901.tif 000010
【図９】
2015124901.tif 000011
【図１０】
2015124901.tif 000012
【図１１】
2015124901.tif 000013